(57)【特許請求の範囲】
【請求項１】
筺体内に遠心ファンと、前記遠心ファンとシャフトを介して接続され前記遠心ファンを回転させるモータと、前記遠心ファンを覆うファンケーシングとを備えた送風装置において、
前記ファンケーシングは、前記モータ側に該モータ及び前記シャフトを該ファンケーシングから取り出すための第１開口部と、前記筺体のサービススペース側に前記第１開口部から前記モータ及び前記シャフトが取り外された後に前記遠心ファンを取り出すための第２開口部と、を備え、
前記筐体は、前記モータの前記シャフトと反対側に該シャフトを前記遠心ファンとの締結部から引き抜くためのスペースが設けられるとともに、該スペースは前記遠心ファンの幅よりも小さくなるように設けられ、
さらに前記スペースは、前記シャフトを前記締結部から引き抜いた後に、前記スペースにおいて前記モータ及び前記シャフトを何れかの方向に回転させることにより、前記シャフトを前記ファンケーシングの外に出せるように設けられることを特徴とする送風装置。
【請求項２】
請求項１において、
前記第２開口部を前記遠心ファンの回転軸と交差する向きに備えることを特徴とする送風装置。
【請求項３】
請求項１において、
前記サービススペース側から見て前記モータと前記遠心ファンを横に並べて配置することを特徴とする送風装置。
【請求項４】
請求項１乃至３の何れかにおいて、
前記第２開口部には着脱可能な塞ぎ板を備えることを特徴とする送風装置。
【請求項５】
請求項１乃至４の何れかにおいて、
前記ファンケーシングは前記筺体の下部に設けられ、前記筺体の下方に風を吹出すことを特徴とする送風装置。
【請求項６】
請求項１乃至５の何れかに記載の送風装置を備え、
前記筺体内に圧縮機と熱交換器とを備えることを特徴とする空気調和機。
【請求項７】
請求項１乃至５の何れかに記載の送風装置の前記遠心ファンの交換方法において、
前記遠心ファンの前記締結部から前記モータの前記シャフトを引き抜くステップと、
前記モータの前記シャフトが前記サービススペース側に向くように前記モータを回転させるステップと、
前記ファンケーシングから前記シャフトを取出すステップと、
前記モータを外された前記遠心ファンを前記第２開口部から取出すステップとを備えることを特徴とする遠心ファンの交換方法。
【発明の詳細な説明】
【技術分野】
【０００１】
本発明は、送風装置，空気調和機に関する。
【背景技術】
【０００２】
コンピュータネットワークを構築するにはコミュニケーション用，データベース用，ファイル管理用などのサーバーを必要とする。サーバーはセキュリティや運用管理の面からサーバー機械室に設置されていて複数台ごとにサーバーラックに格納し、そのサーバーラックを連続設置し運用されている。このサーバーは動作時の発熱が大きく、安定動作させるため空気調和機を設置し運用を行っている。近年、処理データの増加などによりサーバーの高密度化，高効率化が求められていて、これに伴い空気調和機も小型化，高密集設置などが求められてきている。
【０００３】
例えば特許文献１は、サーバーを連続設置し、サーバーの間にファンタワーを設置している。このファンタワーは、室内の下部空間から吸込んだ空気を上部空間に吹出すことでサーバーの上部にも冷却用空気が吸込まれるようにしている。これにより、サーバーの高さ方向における温度勾配を少なくすることが開示されている。
【先行技術文献】
【特許文献】
【０００４】
【特許文献１】特開２００５−１７２３０９号公報
【発明の概要】
【発明が解決しようとする課題】
【０００５】
空気調和機は、保守点検などによりファンやモータ等の交換が必要である。空気調和機の両隣りにも筺体を設置する場合は、空気調和機の前面又は背面から交換することになるが、送風機構を脱着する際の交換スペースを空気調和機内に余分に確保する必要がある。空気調和機自体を小型化すれば、送風機構を出し入れする交換スペースを空気調和機の周囲に確保することが必要である。
【０００６】
特許文献１では、ファンタワーがサーバーに挟まれて配置されており、装置周囲及び装置内にファン等を交換するスペースがなく、交換できないおそれがある。
【０００７】
本発明の目的は、筺体を小型化し並べて設置しても遠心ファンやモータを交換することにある。
【課題を解決するための手段】
【０００８】
かかる課題を解決するため、本発明は、筺体内に遠心ファンと、前記遠心ファンを回転させるモータと、前記遠心ファンを覆うファンケーシングとを備えた送風装置において、前記ファンケーシングは、前記モータを外された前記遠心ファンを出し入れする開口部を前記筺体のサービススペース側に備えることを特徴とする。
【発明の効果】
【０００９】
本発明によれば、筺体を小型化し並べて設置しても遠心ファンを交換することができる。
【図面の簡単な説明】
【００１０】
【図１（ａ）】従来の空気調和機の内部の正面図。
【図１（ｂ）】従来の空気調和機の内部の側面図。
【図２（ａ）】本発明に係る空気調和機の内部の正面図。
【図２（ｂ）】本発明に係る空気調和機の内部の側面図。
【図３（ａ）】図２（ａ）の状態から塞ぎ蓋，インレットリング，モータを取外した状態のファンケーシング周辺の正面図。
【図３（ｂ）】図３（ａ）の側面図。
【図４（ａ）】塞ぎ板とモータとモータ側のインレットリングを取外した状態を示す正面図。
【図４（ｂ）】インレットリングとモータとファンの取出し方を示す平面図。
【図４（ｃ）】モータを回転させファンをファンケーシング下部に下ろした状態を示す正面図。
【発明を実施するための形態】
【００１１】
図１は従来の空気調和機であり、（ａ）は筺体の扉を開けた状態の正面図、（ｂ）はその側面図を示す。１は筐体、２は吸込口、３は熱交換器、４はファンでターボファンやシロッコファンを用いる。５はファンケーシング、６はモータ、７は電気室、８は機械室、９は端子箱、１０は吹出口である。
【００１２】
図２は本実施例の空気調和機であり、（ａ）は筺体の扉を開けた状態の正面図、（ｂ）はその側面図を示す。図１と同一の符号は同一の装置を示す。本図は遠心ファン４の交換前の状態を示す。
【００１３】
筺体１の上部の吸込口２から空気が吸込まれ（吸込空気１８）、熱交換器３を通って冷媒と熱交換され、遠心ファン４に吸込まれて吹出口１０から二重床（図示なし）に空気が吹出される（吹出空気１９）。
【００１４】
熱交換器３は、筐体上部に設けられる。吸込口２から吸込んだ空気が通り易いように、また、熱交換器３の設置面積を多くするため図２（ｂ）の側断面図に示すように熱交換器３は斜めに設けられている。
【００１５】
遠心ファン４は、空気を側面から吸込んで円周方向に吹出す。遠心ファン４には、遠心ファン４を覆うファンケーシング５を設け、この吹出した空気を集めてファンケーシング５の開口から吹出す。遠心ファン４の側面である吸込み部分にはインレットリング１２，１３を設ける。遠心ファン４に吸込まれる空気とファンケーシング５内に吹出される空気とが混ざらないようにすると共に整流するために、インレットリング１２，１３が設けられる。このインレットリング１２，１３とファンケーシング５を設けることで、遠心ファン４のみの場合より送風機効率と空間効率を向上することができる。
【００１６】
図１に示す従来例について、筺体１を複数台並べて設置し、遠心ファン４やモータ６等を交換する場合を説明する。遠心ファン４とモータ６との固定を解除した後にモータ６をファンケーシング５の反対側（図１の左方向）に移動させてモータ６を取外し、筺体正面のサービススペースに引き出す。次にファンケーシング５の左側面からモータ６が設置してあったスペースに遠心ファン４を引き出し、筺体正面のサービススペースに引き出す。この従来例によれば、遠心ファン４をファンケーシング５の横にスライドさせる必要がある。このため、ファンケーシング５の横に少なくとも遠心ファン４の幅だけのスペースを設けなければならず、筺体１の横幅が大きくなってしまう。
【００１７】
図３は本実施例のファンケーシング５周辺図であり、（ａ）は塞ぎ蓋１４、インレットリング１２，１３、モータ６を取外した状態の正面図、（ｂ）はその側面図を示す。
【００１８】
モータ６のシャフト２０と遠心ファン４が接続され、モータ６を駆動することにより遠心ファン４が回転する。シャフト２０は遠心ファン４内部で締結部１６によって接続される。モータ６は台の上に固定されている。図３に示すように、各パーツを分解することができる。モータ６をファンケーシング５の反対側に移動させて遠心ファン４内部の締結部１６からシャフト２０を引き抜く。少なくとも締結部１６からシャフト２０を引き抜く距離だけモータ６の左側にスペースを設ける。締結部１６はネジに限られず、シャフト２０が固定できるものであればよい。
【００１９】
本実施例では筺体１の扉側を正面として、この正面にサービススペースがあるものとし、扉を開けるとファンケーシング５とモータ６が横に並んで配置されている。ファンケーシング５の正面に開口部１１が設けられ、この開口部１１には脱着可能な塞ぎ板１４が取付けられている。開口部１１は遠心ファン４が通る高さと横幅が少なくとも開いているものであればよい。遠心ファン４を交換するとき以外は、風漏れ防止のために開口部１１に塞ぎ板１４を取付ける。ファンケーシング５は板金製であり、形状は遠心ファン４に回転にあわせた円筒型でもよいが、多角形型とするとファンケーシング５が製作し易く、塞ぎ板１４の脱着性もよい。
【００２０】
この開口部１１がファンケーシング５のサービススペース側に設けられているので、シャフト２０をファンケーシング５の外へ取出すことができれば遠心ファン４を開口部１１から取出すことができる。このため、モータ６側から取出す必要がなく、従来例より筺体１の横幅を小さくすることができる。
【００２１】
本実施例の空気調和機は、必ずしもサーバールームでの使用に限られず、屋内外で複数の筺体と並べて設置される場合にも適用できる。また、単体で設置されていても周囲にサービススペースを広くとることができない場合にも適用できる。
【００２２】
図４はファンケーシング５から遠心ファン４を交換するための作業手順を示す図であり、（ａ）は塞ぎ板１４とモータ６とモータ６側のインレットリング１２を取外した状態を示す正面図、（ｂ）はインレットリング１２とモータ６と遠心ファン４の取出し方を示す平面図、（ｃ）はモータ６を回転させ遠心ファン４をファンケーシング５下部に下ろした状態を示す正面図である。
【００２３】
以下、取外す場合の作業手順を示す。  
（１）ファンケーシング５正面の塞ぎ板１４を取外す。  
（２）ファンケーシング５左側面のインレットリング１２を取外し横に移動する。  
（３）モータ６を固定している固定ネジ１５を外す。  
（４）遠心ファン４とモータ６を結合している締結部１６の固定を解除し、モータ６を横へ移動しシャフト２０を締結部１６から引き抜く。  
（５）インレットリング１２を取外して遠心ファン４を横に移動させ、遠心ファン４をインレットリング１３から抜く。  
（６）モータ６の回転軸がサービススペース側に向くように回転させながらファンケーシング５からシャフト２０を出す。  
（７）遠心ファン４は、シャフト２０を抜いた際に吹出口１０から機外へ落下するため落下しないように固定するか遠心ファン４に養生し、落下防止用のステー１７へ損傷の無いように置く。
【００２４】
以上の手順を踏めば遠心ファン４を筺体１の外へ取出すことができる。この手順の中で特に（４）（６）が重要となる。遠心ファン４を回転軸と交差する方向に引き出すためには、シャフト２０が障害となる。そのため、筺体１内であってファンケーシング５外のスペースにシャフト２０を出さなければならない。このときシャフト２０及びモータ６を上下左右のどの方向に回転させてもよい。図４（ｂ）ではシャフト２０を手前にするように回転させてファンケーシング５外に取出しているが、モータ６を手前にするように回転させてもよく、要はシャフト２０がファンケーシング５外に出ればよい。このようにシャフト２０を出す際にモータ６の設置スペースを用いて回転させることができるため、シャフト２０が締結部１６から自由になればよい。締結部１６がある程度の横幅を有する場合は、その横幅だけモータ６が左に移動できるようにモータ６と筺体１の間にスペースを設けておけばよい。
【００２５】
シャフト２０がファンケーシング５外に出れば、モータ６もサービススペースに取出すことができる。遠心ファン４を取付ける場合は前述手順を逆に行う。
【００２６】
本実施例では筺体１の正面に向かってファンケーシング５とモータ６を横に並べ、ファンケーシング５の正面に開口部１１を設けているが、筺体１の正面と背面に隣接するように他の筺体を設置する場合は、筺体１の右側面をサービススペース側とする。この場合はファンケーシング５の右側面（モータ６と反対側）に開口部１１を設けてもよい。また、インレットリング１２，１３を横にスライドさせて取外しているが、分割できるインレットリングであればシャフト２０から抜かなくても取外せる。
【００２７】
本実施例では平板型の熱交換器３を図示しているが、複数の平板型の熱交換器３を吸込口２側で近づけて、成す角度を２０〜６０度として逆Ｖ型としてもよく、熱交換器３の配置はこれらに限られない。
【００２８】
本実施例では筺体１上部に熱交換器３、筺体１下部に遠心ファン４を設けているが、これらを上下逆に配置してもよい。筺体１上面に吸込口２、筺体１下面に吹出口１０を設けて上面吸込み下面吹出しとしているが、これに限られず、何れの面から吸込んで何れの面に吹出してもよい。例えば、正面吸込み下面吹出し、背面吸込み上面吹出し等である。
【００２９】
遠心ファン４は、１個でも複数でもよい。また、片側吸込み、両側吸込みの何れでも、これらを併用してもよい。
【００３０】
本実施例では筺体１内に熱交換器３等を備えた空気調和機として説明したが、必ずしも冷凍サイクルを構成していなくてもよく、上記のような遠心ファン４，ファンケーシング５，モータ６を筺体１内に備えた送風装置としてもよい。サーバールームではサーバーと送風装置が隣接するため、本実施例のような筺体１を有する送風装置であれば、筺体１を小型化し並べて設置しても遠心ファン４を交換することができる。
【符号の説明】
【００３１】
１  筐体
２  吸込口
３  熱交換器
４  遠心ファン
５  ファンケーシング
６  モータ
７  電気室
８  機械室
９  端子箱
１０  吹出口
１１  開口部
１２，１３  インレットリング
１４  塞ぎ板
１５  固定ネジ
１６  締結部
１７  ステー
１８  吸込空気
１９  吹出空気
２０  シャフト
【図１（ａ）】
0005470202.tif 000002
【図１（ｂ）】
0005470202.tif 000003
【図２（ａ）】
0005470202.tif 000004
【図２（ｂ）】
0005470202.tif 000005
【図３（ａ）】
0005470202.tif 000006
【図３（ｂ）】
0005470202.tif 000007
【図４（ａ）】
0005470202.tif 000008
【図４（ｂ）】
0005470202.tif 000009
【図４（ｃ）】
0005470202.tif 000010